(57)【特許請求の範囲】
【請求項１】
複数ページから構成される情報を表示する表示装置において、前記表示装置は、
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
制御部と、
記憶部と、
を備え、
前記制御部は、
前記タッチセンサにより第１の入力が検出され、前記荷重検出部によりページ情報を記憶するための閾値以上の押圧荷重が検出されると、前記表示部に表示されていたページの情報を、第１のページの情報として前記記憶部に記憶し、
前記タッチセンサにより検出された前記第１の入力と異なる第２の入力の位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換え、
該書き換えの後、前記タッチセンサにより前記第１の入力が検出されている状態で、前記傾き検出部により前記所定の閾値より低い第１の閾値以下の傾きが検出されると、前記表示部の表示を前記記憶部に記憶された第１のページの情報に書き換える、
ことを特徴とする表示装置。
【請求項２】
前記制御部は、
前記タッチセンサにより前記第１の入力が検出されている状態で、前記傾き検出部により前記所定の閾値より低い第１の閾値以下の傾きが検出されると、前記表示部に表示されているページの情報を、第２のページの情報として前記記憶部に記憶するとともに、前記表示部の表示を前記第１のページの情報に書き換え、
該書き換えの後、前記タッチセンサにより前記第２の入力が検出されている状態で、前記傾き検出部により前記第１の閾値より高い第２の閾値以上の傾きが検出されると、前記表示部の表示を前記記憶部に記憶された第２のページの情報に書き換える、
ことを特徴とする請求項１に記載の表示装置。
【請求項３】
前記制御部は、前記タッチセンサにより検出された位置に基づいて所定位置からの移動距離を算出し、前記算出された移動距離、前記荷重検出部により検出された押圧荷重および前記傾き検出部により傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とする請求項１または２に記載の表示装置。
【請求項４】
前記制御部は、前記傾き検出部により検出された傾きが所定の閾値以上の場合、前記表示部に、ページめくりを促す画像を表示することを特徴とする請求項１〜３のいずれか１項に記載の表示装置。
【請求項５】
前記表示装置は、前記タッチ面を振動させる触感呈示部をさらに備え、
前記制御部は、前記表示部の表示を書き換える際に、前記タッチ面を振動させるように触感呈示部を制御することを特徴とする請求項１〜４のいずれか１項に記載の表示装置。
【請求項６】
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
記憶部と、
を備え、複数ページから構成される情報を表示する表示装置の制御方法であって、
前記タッチセンサにより第１の入力が検出され、前記荷重検出部によりページ情報を記憶するための閾値以上の押圧荷重が検出されると、前記表示部に表示されていたページの情報を、第１のページの情報として記憶部に記憶し、
前記タッチセンサにより検出された前記第１の入力と異なる第２の入力の位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換え、
該書き換えの後、前記タッチセンサにより前記第１の入力が検出されている状態で、前記傾き検出部により前記所定の閾値より低い第１の閾値以下の傾きが検出されると、前記表示部の表示を前記記憶部に記憶された第１のページの情報に書き換える、
ことを特徴とする表示装置の制御方法。
【請求項７】
前記タッチセンサにより前記第１の入力が検出されている状態で、前記傾き検出部により前記所定の閾値より低い第１の閾値以下の傾きが検出されると、前記表示部に表示されているページの情報を、第２のページの情報として前記記憶部に記憶するとともに、前記表示部の表示を前記第１のページの情報に書き換え、
該書き換えの後、前記タッチセンサにより前記第２の入力が検出されている状態で、前記傾き検出部により前記第１の閾値より高い第２の閾値以上の傾きが検出されると、前記表示部の表示を前記記憶部に記憶された第２のページの情報に書き換える、
ことを特徴とする請求項６に記載の表示装置の制御方法。
【請求項８】
前記タッチセンサにより検出された位置に基づいて所定位置からの移動距離を算出し、前記算出された移動距離、前記荷重検出部により検出された押圧荷重および前記傾き検出部により傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とする請求項６または７に記載の表示装置の制御方法。
【請求項９】
前記傾き検出部により検出された傾きが所定の閾値以上の場合、前記表示部に、ページめくりを促す画像を表示することを特徴とする請求項６〜８のいずれか１項に記載の表示装置の制御方法。
【請求項１０】
前記タッチ面を振動させる触感呈示部をさらに備える表示装置の制御方法であって、
前記表示部の表示を書き換える際に、前記タッチ面を振動させるように触感呈示部を制御することを特徴とする請求項６〜９のいずれか１項に記載の表示装置の制御方法。
【発明の詳細な説明】
【技術分野】
【０００１】
本発明は、複数ページから構成される情報のページをめくるように表示を書き換える表示装置および表示装置の制御方法に関するものである。
【背景技術】
【０００２】
近年、文字、画像、音声などの情報を電子メディアに記録し、書籍のように利用する出版形態である電子ブックが実用化されている。例えば、特許文献１では、電子ブックの表示部に接触した指の接触圧力および接触面積の少なくとも一方と、指の移動方向とに基づき、ページをめくるように表示を書き換える方法が開示されている。この方法を用いると、ユーザは本を読むときに近い感覚で電子ブックのアプリケーションを利用することができる。
【先行技術文献】
【特許文献】
【０００３】
【特許文献１】特開２０００−１６３１９３号公報
【発明の概要】
【発明が解決しようとする課題】
【０００４】
しかしながら、上述した特許文献１に記載の技術では、ユーザにページをめくる意志がなかったとしても、ページがめくられてしまうという誤作動を引き起こす可能性があった。例えば、ユーザはタッチセンサのタッチ面の端を持っているつもりであっても、実際には指がタッチセンサの検出領域に置かれていたとする。このときに、何かのきっかけで指に力が入り、タッチセンサに圧力をかけて指を移動させると、ユーザの意志とは関係なくページがめくられてしまうことになる。また、複数ページをめくった後に、最初のページを参照したい場合、複数ページを逆にめくって最初のページに戻らなければならず、人が本を読むときに再び参照したい箇所にしおりを挿入するような、しおり機能が望まれていた。
【０００５】
かかる点に鑑みてなされた本発明の目的は、ユーザの意思とは無関係にページめくりが行われることを防止し、人が本を読むときに近い感覚で操作することができ、さらにしおり機能を備える表示装置および表示装置の制御方法を提供することにある。
【課題を解決するための手段】
【０００６】
上記目的を達成する第１の観点に係る表示装置の発明は、
複数ページから構成される情報を表示する表示装置において、前記表示装置は、
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
制御部と、
記憶部と、
を備え、
前記制御部は、
前記タッチセンサにより第１の入力が検出され、前記荷重検出部によりページ情報を記憶するための閾値以上の押圧荷重が検出されると、前記表示部に表示されていたページの情報を、第１のページの情報として前記記憶部に記憶し、
前記タッチセンサにより検出された前記第１の入力と異なる第２の入力の位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換え、
該書き換えの後、前記タッチセンサにより前記第１の入力が検出されている状態で、前記傾き検出部により前記所定の閾値より低い第１の閾値以下の傾きが検出されると、前記表示部の表示を前記記憶部に記憶された第１のページの情報に書き換える、
ことを特徴とするものである。
【０００７】
第２の観点に係る表示装置の発明は、第１の観点に係る表示装置において、
前記制御部は、
前記タッチセンサにより前記第１の入力が検出されている状態で、前記傾き検出部により前記所定の閾値より低い第１の閾値以下の傾きが検出されると、前記表示部に表示されているページの情報を、第２のページの情報として前記記憶部に記憶するとともに、前記表示部の表示を前記第１のページの情報に書き換え、
該書き換えの後、前記タッチセンサにより前記第２の入力が検出されている状態で、前記傾き検出部により前記第１の閾値より高い第２の閾値以上の傾きが検出されると、前記表示部の表示を前記記憶部に記憶された第２のページの情報に書き換える、
ことを特徴とするものである。
【０００８】
第３の観点に係る表示装置の発明は、第１または２の観点に係る表示装置において、
前記制御部は、前記タッチセンサにより検出された位置に基づいて所定位置からの移動距離を算出し、前記算出された移動距離、前記荷重検出部により検出された押圧荷重および前記傾き検出部により傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とするものである。
【０００９】
第４の観点に係る表示装置の発明は、第１〜３の観点に係る表示装置において、
前記制御部は、前記傾き検出部により検出された傾きが所定の閾値以上の場合、前記表示部に、ページめくりを促す画像を表示することを特徴とするものである。
【００１０】
第５の観点に係る表示装置の発明は、第１〜４の観点に係る表示装置において、
前記表示装置は、前記タッチ面を振動させる触感呈示部をさらに備え、
前記制御部は、前記表示部の表示を書き換える際に、前記タッチ面を振動させるように触感呈示部を制御することを特徴とするものである。
【００１１】
第６の観点に係る表示装置の制御方法の発明は、
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
記憶部と、
を備え、複数ページから構成される情報を表示する表示装置の制御方法であって、
前記タッチセンサにより第１の入力が検出され、前記荷重検出部によりページ情報を記憶するための閾値以上の押圧荷重が検出されると、前記表示部に表示されていたページの情報を、第１のページの情報として記憶部に記憶し、
前記タッチセンサにより検出された前記第１の入力と異なる第２の入力の位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換え、
該書き換えの後、前記タッチセンサにより前記第１の入力が検出されている状態で、前記傾き検出部により前記所定の閾値より低い第１の閾値以下の傾きが検出されると、前記表示部の表示を前記記憶部に記憶された第１のページの情報に書き換える、
ことを特徴とするものである。
【００１２】
第７の観点に係る表示装置の制御方法の発明は、第６の観点に係る表示装置の制御方法において、
前記タッチセンサにより前記第１の入力が検出されている状態で、前記傾き検出部により前記所定の閾値より低い第１の閾値以下の傾きが検出されると、前記表示部に表示されているページの情報を、第２のページの情報として前記記憶部に記憶するとともに、前記表示部の表示を前記第１のページの情報に書き換え、
該書き換えの後、前記タッチセンサにより前記第２の入力が検出されている状態で、前記傾き検出部により前記第１の閾値より高い第２の閾値以上の傾きが検出されると、前記表示部の表示を前記記憶部に記憶された第２のページの情報に書き換える、
ことを特徴とするものである。
【００１３】
第８の観点に係る表示装置の制御方法の発明は、第６または７の観点に係る表示装置の制御方法において、
前記タッチセンサにより検出された位置に基づいて所定位置からの移動距離を算出し、前記算出された移動距離、前記荷重検出部により検出された押圧荷重および前記傾き検出部により傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とするものである。
【００１４】
第９の観点に係る表示装置の制御方法の発明は、第６〜８の観点に係る表示装置の制御方法において、
前記傾き検出部により検出された傾きが所定の閾値以上の場合、前記表示部に、ページめくりを促す画像を表示することを特徴とするものである。
【００１５】
第１０の観点に係る表示装置の制御方法の発明は、第６〜９の観点に係る表示装置の制御方法において、
前記タッチ面を振動させる触感呈示部をさらに備える表示装置の制御方法であって、
前記表示部の表示を書き換える際に、前記タッチ面を振動させるように触感呈示部を制御することを特徴とするものである。
【発明の効果】
【００１６】
本発明に係る表示装置および表示装置の制御方法によれば、ユーザの意思とは無関係にページめくりが行われることを防止し、さらにしおり機能を利用でき、人が本を読むときに近い感覚で操作することができる。
【図面の簡単な説明】
【００１７】
【図１】本発明の第１実施の形態に係る表示装置の機能ブロック図である。
【図２−１】本発明の第１実施の形態に係る表示装置の操作方法を示す図である。
【図２−２】本発明の第１実施の形態に係る表示装置の操作方法を示す図である。
【図３】本発明の第１実施の形態に係る表示装置によるページめくり動作を示すフローチャートである。
【図４】しおりページ記憶処理を示すフローチャートである。
【図５】しおり動作処理を示すフローチャートである。
【図６】本発明の第１実施の形態に係る表示装置によるページめくりの動作概要の一例を示す図である。
【図７】本発明の第１実施の形態に係る表示装置によるページめくりの動作概要の一例を示す図である。
【図８】本発明の第１実施の形態に係る表示装置によるページめくりの動作概要の一例を示す図である。
【図９】本発明の第２実施の形態に係る表示装置によるページめくり動作を示すフローチャートである。
【図１０−１】本発明の第３実施の形態に係る表示装置の操作方法を示す図である。
【図１０−２】本発明の第３実施の形態に係る表示装置の操作方法を示す図である。
【図１１】本発明の第３実施の形態に係る表示装置によるページめくり動作を示すフローチャートである。
【図１２】本発明の第４実施の形態に係る表示装置の機能ブロック図である。
【図１３】本発明の第４実施の形態に係る表示装置によるページめくり動作を示すフローチャートである。
【発明を実施するための形態】
【００１８】
以下、本発明に係る表示装置および表示装置の制御方法の実施の形態について、図面を参照して説明する。
（第１実施の形態）
図１は、本発明の第１実施の形態に係る表示装置の機能ブロック図である。この表示装置は、複数ページから構成される情報のページをめくるように表示を書き換える装置であって、タッチセンサ１、荷重検出部２、傾き検出部３、表示部４、記憶部５、および制御部６を有する。
【００１９】
タッチセンサ１は、タッチ面に対する指等のタッチ対象による入力を受け付け、この入力の二次元の位置を検出する。タッチセンサ１は、例えば、抵抗膜方式、静電容量方式、光学式等の公知のもので構成される。荷重検出部２は、タッチセンサ１のタッチ面に対する指等の押圧対象の押圧荷重を検出する。荷重検出部２は、例えば、歪みゲージセンサや圧電素子等の押圧荷重に対してリニアに反応する素子を用いて構成される。傾き検出部３は、タッチセンサ１のタッチ面または表示装置の基準角度からのの傾きを検出する。傾き検出部３は、例えば、ジャイロスコープや加速度センサ等の傾きセンサを用いて構成される。ここで、基準角度とは、水平方向または水平面（地球の重力と直角に交わる方向または平面）を０度の角度としたものである。なお、基準角度は、適宜設定変更可能であり、例えば、タッチ面等が水平方向または水平面から２０度傾いた方向を基準角度と設定することができる。
【００２０】
表示部４は、電子ブックのアプリケーション画面（書籍の見開きページ）およびアイコンや押しボタン等の入力用オブジェクトを表示するものであり、タッチセンサ１の背面側（タッチ面と逆側）に配置される。表示部４は、例えば、液晶表示パネルや有機ＥＬ表示パネルを用いて構成される。記憶部５は、タッチセンサ１で検出された位置、荷重検出部２で検出された押圧荷重、傾き検出部３で検出された傾きを記憶する。記憶部５は、さらに、傾き、押圧荷重および移動に関連する閾値を記憶する。記憶部５は、さらにまた、指等の入力が検出された際に、表示部４に表示されていたページの情報を記憶する。記憶部５は、例えば、揮発性又は不揮発性メモリ等を用いて構成される。
【００２１】
制御部６は、タッチセンサ１が検出した、指等の入力の位置に基づいて、移動を算出する。ここで、移動とは、単位時間当たりの指の移動量、あるいは、所定位置からの指の移動距離を意味する。また、算出とは、数式を用いたものに限定されず、比較処理等の種々の処理に基づくものを含むものである。制御部６は、移動、傾きおよび押圧荷重が、それぞれ、上述した閾値以上であるか否かを判定し、判定結果に基づいて表示部４の表示を書き換えて、ページめくりを実行する。なお、ページめくりとは、実際に本を読むときのようにページをめくる画像を表示させて表示部４の表示を書き換える場合だけでなく、ページをめくる画像を表示させることなく表示部４の表示を書き換える場合や、ページをスクロールさせながら表示部４の表示を書き換える場合も含むものとする。
【００２２】
図２−１および図２−２は、本発明の第１実施の形態に係る表示装置の操作方法を示す図である。図２−１（ａ）では、本発明の表示装置上で、電子ブックのアプリケーションが起動中であり、表示部４には現在読み進めている書籍（横書き）の１〜２ページ目が見開きで表示されている。表示装置はｘｙ平面（基準角度）に置かれている。ユーザが、このページ（第１のページ）にしおりを挟む感覚で、タッチセンサ１の左側（１ページ目）の端部を左手の指であるしおり指ｓで押さえると、タッチセンサ１はしおり指ｓによる第１の入力を検出する。次に、ユーザは、図２−１（ｂ）に示すように、表示装置の右側を持ち上げて、表示装置のタッチ面をｚ方向に傾ける。この状態で、ユーザが、タッチセンサ１の右側（２ページ目）の端部で、圧力をかけて右手の指であるめくり指ｍをｘ方向（図中右側）に動かす。このとき、傾き検出部３で検出された傾きが閾値以上であり、荷重検出部２で検出された押圧荷重が閾値以上であり、タッチセンサ１で検出されためくり指ｍによる第２の入力の位置に基づき、制御部６で算出された移動が閾値以上である場合、図２−１（ｃ）に示すように、ページがめくられて、表示部４の表示が書き換えられる。図２−１（ｃ）では、図２−１（ｂ）の状態から１ページがめくられ、３〜４ページ目が見開きで表示されている。
【００２３】
ユーザが、この状態で、しおり指ｓでタッチセンサ１の左側端部を押さえたまま、めくり指ｍでタッチセンサ１の右側端部に圧力をかけながらｘ方向に動かし続けると、表示部４の表示が連続的に書き換えられる。めくり指ｍの移動を停止すると、表示の書き換えは停止する。図２−２（ｄ）では、２９〜３０ページ目が見開きで表示され、めくり指ｍは、タッチセンサ１の右側（３０ページ目）の端部に、圧力をかけて停止している。次に、ユーザは、図２−２（ｅ）に示すように、表示装置のタッチ面を−ｚ方向に傾ける。すると、表示部４の表示は、しおりを挟んだページ（第１のページ）である１〜２ページの情報に書き換えられる。さらに、ユーザが、図２−２（ｆ）に示すように、表示装置のタッチ面をｚ方向に傾けると、表示部４の表示は、先ほど表示していたページ（第２のページ）である２９〜３０ページ目の情報に書き換えられる。
【００２４】
図示例では、右側が高くなるように表示装置のタッチ面を傾けているため、横書きの本であれば本を読み進める方向でページがめくられることになり、人が本を読むときに近い感覚でアプリケーションを操作することができる。なお、図示例では、ページをめくる方向であるｘ方向にめくり指ｍを動かした場合を例に説明しているが、めくり指ｍを動かす方向は任意の方向とすることができる。
【００２５】
第１実施の形態に係る表示装置によるページめくり動作について、図３〜５に示すフローチャートを参照して説明する。ユーザが、タッチセンサ１の端部をしおり指で押さえると、制御部６は、しおりページ記憶処理を行う（ステップＳ１０１）。しおりページ記憶処理の詳細は後述するものとする。傾き検出部３は、タッチセンサ１のタッチ面の傾きを検出する（ステップＳ１０２）。制御部６は、検出された傾きを記憶部５に格納する。荷重検出部２は、ユーザの指による押圧荷重を検出する（ステップＳ１０３）。制御部６は、検出された押圧荷重を記憶部５に格納する。タッチセンサ１は、ユーザのめくり指による入力（第２の入力）の位置を検出する。制御部６は、検出された位置に基づき、単位時間当たりの移動量を算出し、移動として記憶部５に格納する（ステップＳ１０４）。
【００２６】
制御部６は、ステップＳ１０２からステップＳ１０４において検出され、記憶部５に格納された傾き、押圧荷重および移動が、それぞれ、所定の条件を満足しているか否かを判定する（ステップＳ１０５）。すなわち、制御部６は、各データが、記憶部５に格納されている傾き、押圧荷重および移動に関連する閾値（所定の閾値）以上であるか否かを判定する。ステップＳ１０５において、傾き、押圧荷重および移動の全てが所定の条件を満足している場合（ＹＥＳの場合）、制御部６は、表示部４の表示を書き換えてページをめくり（ステップＳ１０６）、処理をステップＳ１０２に戻す。ステップＳ１０５において、傾き、押圧荷重および移動の少なくとも１つが所定の条件を満足していない場合（ＮＯの場合）、制御部６は、しおり動作処理を行う（ステップＳ１０７）。しおり動作処理の詳細は後述するものとする。なお、ステップＳ１０２からステップＳ１０４は、図示例の順番に限定されることはなく、任意の順番とすることができる。
【００２７】
図４は、図３のステップＳ１０１におけるしおりページ記憶処理のフローチャートである。タッチセンサ１は、ユーザのしおり指による入力（第１の入力）の位置を検出し、制御部６は、タッチ面にしおり指が接触しているのを検出する（ステップＳ１１１）。荷重検出部２は、ユーザの指による押圧荷重を検出する（ステップＳ１１２）。制御部６は、ステップ１１２で検出された押圧荷重が、所定の条件を満足しているか否かを判定する（ステップＳ１１３）。すなわち、制御部６は、検出された押圧荷重が、記憶部５に格納されている押圧荷重に関連する閾値（ページ情報を記憶するための閾値）以上であるか否かを判定する。ステップＳ１１３において、押圧荷重が所定の条件を満足している場合（ＹＥＳの場合）、制御部６は、表示部４に表示されているページ、すなわち、しおり指があるページ（第１のページ、以下、「しおりページ」と称する）の情報を記憶部５に格納して（ステップＳ１１４）、処理を終了する。
【００２８】
図５は、図３のステップＳ１０７におけるしおり動作処理のフローチャートである。傾き検出部３は、タッチセンサ１のタッチ面の傾きを検出する（ステップＳ１２１）。制御部６は、ステップＳ１２１で検出された傾きが、所定の条件を満足しているか否かを判定する（ステップＳ１２２）。すなわち、制御部６は、検出された傾きが、記憶部５に格納されている傾きに関連する閾値（第１の閾値）以下であるか否かを判定する。ここで、第１の閾値は、ステップＳ１０５における傾きに関連する閾値（所定の閾値）より低い閾値である。制御部６は、タッチ面がｘｙ平面に対して−ｚ方向に所定の角度以上で傾いているか否かを検出する。ステップＳ１２２において、傾きが所定の条件を満足している場合（ＹＥＳの場合）、タッチセンサ１は、ユーザのしおり指による入力（第１の入力）の位置を検出し、制御部６は、タッチ面にしおり指が接触しているのを検出する（ステップＳ１２３）。荷重検出部２は、ユーザの指による押圧荷重を検出する（ステップＳ１２４）。制御部６は、ステップ１２４で検出された押圧荷重が、所定の条件を満足しているか否かを判定する（ステップＳ１２５）。すなわち、制御部６は、検出された押圧荷重が、記憶部５に格納されている押圧荷重に関連する閾値以上であるか否かを判定する。ステップＳ１２５において、押圧荷重が所定の条件を満足している場合（ＹＥＳの場合）、制御部６は、表示部４に表示されているページ、すなわち、めくり指があるページ（第２のページ、以下、「めくりページ」と称する）の情報を記憶部５に格納する（ステップＳ１２６）。制御部６は、表示部４の表示を書き換えてしおりページの情報を表示する（ステップＳ１２７）。
【００２９】
傾き検出部３は、タッチセンサ１のタッチ面の傾きを検出する（ステップＳ１２８）。制御部６は、ステップＳ１２８で検出された傾きが、所定の条件を満足しているか否かを判定する（ステップＳ１２９）。すなわち、制御部６は、検出された傾きが、記憶部５に格納されている傾きに関連する閾値（第２の閾値）以上であるか否かを判定する。ここで、第２の閾値は、ステップＳ１２２における第１の閾値より高い閾値である。制御部６は、タッチ面がｘｙ平面（基準角度）に対して＋ｚ方向に所定の角度以上で傾いているか否かを検出する。ステップＳ１２９において、傾きが所定の条件を満足している場合（ＹＥＳの場合）、タッチセンサ１は、ユーザのめくり指による入力（第２の入力）の位置を検出し、制御部６は、タッチ面にめくり指が接触しているのを検出する（ステップＳ１３０）。荷重検出部２は、ユーザの指による押圧荷重を検出する（ステップＳ１３１）。制御部６は、ステップ１３１で検出された押圧荷重が、所定の条件を満足しているか否かを判定する（ステップＳ１３２）。すなわち、制御部６は、検出された押圧荷重が、記憶部５に格納されている押圧荷重に関連する閾値以上であるか否かを判定する。ステップＳ１３２において、押圧荷重が所定の条件を満足している場合（ＹＥＳの場合）、制御部６は、表示部４の表示を書き換えてめくりページの情報を表示する（ステップＳ１３３）。
【００３０】
ステップＳ１２２において、傾きが所定の条件を満足していない場合（ＮＯの場合）、ステップＳ１２５において、押圧荷重が所定の条件を満足していない場合（ＮＯの場合）、ステップＳ１２９において、傾きが所定の条件を満足していない場合（ＮＯの場合）、および、ステップＳ１３２において、押圧荷重が所定の条件を満足していない場合（ＮＯの場合）、制御部６は処理を終了する。
【００３１】
第１実施の形態に係る表示装置によるページめくりの動作概要について、図６〜図８を参照して説明する。図６（ａ）は、横軸に時間、縦軸に単位時間当たりのめくり指の移動量を表し、図６（ｂ）は、横軸に時間、縦軸に押圧荷重を表し、図６（ｃ）は、横軸に時間、縦軸にタッチ面の傾きを表している。まず、ユーザがタッチ面をしおり指で押圧すると、図６（ｂ）に示すように、時間Ｔ０において、押圧荷重は閾値Ｑ（ページ情報を記憶するための閾値）以上となる。ここで、制御部６は、しおりページの情報を記憶部５に格納する。次に、ユーザが表示装置を＋ｚ方向に傾けると、図６（ｃ）に示すように、時間Ｔ１において、表示装置のタッチ面の傾きは、閾値Ａ（所定の閾値）以上となる。続けて、ユーザがタッチ面をめくり指で押圧すると、図６（ｂ）に示すように、時間Ｔ２において、押圧荷重は閾値Ｐ（所定の閾値）以上となる。そして、ユーザがタッチ面上でめくり指を移動させると、図６（ａ）に示すように、時間Ｔ３において、単位時間当たりのめくり指の移動量は閾値Ｌ（所定の閾値）以上となる。時間Ｔ３では、タッチセンサ１のタッチ面の傾き、めくり指の押圧荷重、単位時間当たりのめくり指の移動量の全てが所定条件を満たしたため、制御部６は、表示部４の表示を書き換えて、ページめくりを開始する。時間Ｔ３から時間Ｔ４までは、制御部６は、上記所定条件を満たすと判定し、ページをめくり続けるように表示部４の表示を連続的に書き換える。時間Ｔ４において、図６（ｃ）に示すように、タッチセンサ１のタッチ面の傾きが閾値Ａ未満になると、制御部６は、ページめくりを終了する。
【００３２】
次に、ユーザが表示装置を−ｚ方向に傾けると、図６（ｃ）に示すように、時間Ｔ５において、表示装置のタッチ面の傾きは、閾値Ｂ（第１の閾値）以下となる。時間Ｔ５では、タッチセンサ１のタッチ面の傾き（および押圧荷重）が所定条件を満たしたため、制御部６は、表示部４の表示を書き換えて、しおりページの情報を表示する。
【００３３】
図７（ａ）は、横軸に時間、縦軸に単位時間当たりのめくり指の移動量を表し、図７（ｂ）は、横軸に時間、縦軸に押圧荷重を表し、図７（ｃ）は、横軸に時間、縦軸にタッチ面の傾きを表している。図６の動作概要と異なる点として、図７の動作概要では、時間Ｔ４において、めくり指の押圧荷重が閾値Ｐ（所定の閾値）未満になったため、制御部６は、ページめくりを終了する。
【００３４】
図８（ａ）は、横軸に時間、縦軸に単位時間当たりのめくり指の移動量を表し、図８（ｂ）は、横軸に時間、縦軸に押圧荷重を表し、図８（ｃ）は、横軸に時間、縦軸にタッチ面の傾きを表している。図６の動作概要と異なる点として、図８の動作概要では、時間Ｔ４において、めくり指の移動量が閾値Ｌ（所定の閾値）未満になったため、制御部６は、ページめくりを終了する。
【００３５】
このように、本実施の形態によれば、表示装置の傾き、めくり指の移動および押圧荷重の３つの値に基づいて、情報のページをめくるように表示部の表示を書き換えるので、ユーザの意思とは無関係にページめくりが行われることを防止することができる。さらに、しおり機能を利用することにより、人が本を読むときに近い感覚でページをめくる操作をすることができる。
【００３６】
（第２実施の形態）
第２実施の形態では、単位時間当たりのめくり指の移動量の代わりに、タッチ面上の所定位置からのめくり指の移動距離に基づいて、ページめくりを行う。なお、第２実施の形態に係る表示装置の構成は第１実施の形態に係る表示装置と同一であり、各構成部の説明は省略する。第２実施の形態に係る表示装置によるページめくり動作について、図９に示すフローチャートを参照して説明する。
【００３７】
ユーザが、タッチセンサ１の端部をしおり指で押さえると、制御部６は、図４に示したしおりページ記憶処理を行う（ステップＳ２０１）。傾き検出部３は、タッチセンサ１のタッチ面の傾きを検出する（ステップＳ２０２）。制御部６は、ステップＳ２０２で検出された傾きが、記憶部５に格納されている傾きに関連する閾値（所定の閾値）以上であるか否かを判定する（ステップＳ２０３）。ステップＳ２０３において、制御部６は、傾きが閾値（所定の閾値）以上であると判定した場合（ＹＥＳの場合）、タッチセンサ１は、ユーザのめくり指による入力（第２の入力）の位置を検出する。制御部６は、検出された位置に基づいて、タッチ面上の所定位置からの移動距離を移動として算出する（ステップ２０４）。荷重検出部２は、ユーザの指による押圧荷重を検出する（ステップＳ２０５）。制御部６は、ステップＳ２０４で算出された移動およびステップＳ２０５で検出された押圧荷重が、所定の条件を満足しているか否かを判定する（ステップＳ２０６）。
【００３８】
ステップＳ２０６において、移動および押圧荷重の両方が閾値（所定の閾値）以上であると判定した場合（ＹＥＳの場合）、制御部６は、表示部４の表示を書き換えてページをめくる（ステップＳ２０７）。傾き検出部３は、タッチセンサ１のタッチ面の傾きを検出する（ステップＳ２０８）。荷重検出部２は、ユーザの指による押圧荷重を検出する（ステップＳ２０９）。制御部６は、ステップＳ２０８で検出された傾きおよびステップＳ２０９で検出された押圧荷重が、所定の条件を満足しているか否かを判定する（ステップＳ２１０）。
【００３９】
ステップＳ２１０において、傾きおよび押圧荷重の両方が閾値（所定の閾値）以上であると判定した場合（ＹＥＳの場合）、制御部６は、処理をステップＳ２０７に戻し、表示部４の表示を書き換えてページをめくる。ステップＳ２１０において、傾きおよび押圧荷重の少なくとも一方が閾値（所定の閾値）未満であると判定した場合（ＮＯの場合）、制御部６は、処理をステップＳ２１１に進める。同様に、ステップＳ２０３において、傾きが閾値（所定の閾値）未満の場合（ＮＯの場合）、および、ステップＳ２０６において、移動および押圧荷重の少なくとも一方が閾値（所定の閾値）未満の場合（ＮＯの場合）、制御部６は、図５に示したしおり動作処理を行う（ステップＳ２１１）。なお、ステップＳ２０４とステップＳ２０５は、図示例の順番に限定されることはなく、逆順とすることもできる。また、ステップＳ２０８とステップＳ２０９は、図示例の順番に限定されることはなく、逆順とすることもできる。
【００４０】
このように、本実施の形態によれば、タッチ面上のある地点から所定の距離だけ指を移動させた後に指の移動を停止しても、傾きおよび押圧荷重が所定の条件を満足していると、連続的に情報のページをめくるように表示部の表示を書き換えるので、人が本を読むときにより近い感覚で、快適なスピードでページをめくる操作をすることができる。
【００４１】
（第３実施の形態）
本発明の第３実施の形態では、ユーザに対してページめくりを促す画像（入力用オブジェクト）を表示部４に表示させる。なお、第３実施の形態に係る表示装置の構成は第１実施の形態に係る表示装置と同一であり、各構成部の説明は省略する。図１０−１および図１０−２は、本発明の第３実施の形態に係る表示装置の操作方法を示す図である。
【００４２】
図１０−１（ａ）に示すように、表示部４には縦書きの書籍の１〜２ページ目が見開きで表示されている。表示装置は、ｘｙ平面（基準角度）に置かれている。ユーザは、このページ（第１のページ）にしおりを挟む感覚で、タッチセンサ１の右側（１ページ目）の端部を右手の指であるしおり指ｓで押さえると、タッチセンサ１はしおり指ｓによる第１の入力を検出する。次に、ユーザは、図１０−１（ｂ）に示すように、表示装置の左側を持ち上げて、表示装置のタッチ面をｚ方向に傾ける。すると、表示部４の左側（２ページ目）の端部に、ページめくりを促す画像として、書籍の端に見られるページの折り重なりを表現する画像（以下、「ページめくり画像」と称する）が表示される。この状態で、図１０−１（ｃ）に示すように、ユーザが、このページめくり画像の位置に圧力をかけて左手の指であるめくり指ｍを−ｘ方向（図中左側）に動かす。このとき、傾き検出部３で検出された傾きが閾値（所定の閾値）以上であり、荷重検出部２で検出された押圧荷重が閾値（所定の閾値）以上であり、タッチセンサ１で検出されためくり指ｍによる第２の入力の位置に基づき、制御部６で算出された移動が閾値（所定の閾値）以上である場合、ページがめくられて、表示部４の表示が書き換えられる。図１０−１（ｃ）では、図１０−１（ｂ）の状態から１ページがめくられ、３〜４ページ目が見開きで表示されている。
【００４３】
この状態で、しおり指ｓでタッチセンサ１の右側端部を押さえたまま、めくり指ｍでタッチセンサ１の左側端部に圧力をかけながら−ｘ方向に動かし続けると、表示部４の表示が連続的に書き換えられる。めくり指ｍの移動を停止すると、表示の書き換えは停止する。図１０−２（ｄ）では、２９〜３０ページ目が見開きで表示され、めくり指ｍは、タッチセンサ１の左側（３０ページ目）の端部に、圧力をかけて停止している。次に、ユーザは、図１０−２（ｅ）に示すように、表示装置のタッチ面を−ｚ方向に傾ける。すると、ページめくり画像は非表示になり、表示部４の表示は、しおりを挟んだページ（第１のページ）である１〜２ページの情報に書き換えられる。さらに、ユーザは、図１０−２（ｆ）に示すように、表示装置のタッチ面をｚ方向に傾けると、表示部４の表示は、先ほど表示していたページ（第２のページ）である２９〜３０ページ目の情報に書き換えられる。
【００４４】
図示例では、左側が高くなるように表示装置のタッチ面を傾けているため、縦書きの本であれば本を読み進める方向でページがめくられることになり、人が本を読むときに近い感覚でアプリケーションを操作することができる。なお、入力用オブジェクトとしてのページめくり画像は、図示例のような書籍の端に見られるページの折り重なりを表現する画像に限定されることはなく、例えば矢印記号のような任意の画像とすることができる。
【００４５】
第３実施の形態に係る表示装置によるページめくり動作について、図１１に示すフローチャートを参照して説明する。ユーザが、タッチセンサ１の端部をしおり指ｓで押さえると、制御部６は、図４に示したしおりページ記憶処理を行う（ステップＳ３０１）。傾き検出部３は、タッチセンサ１のタッチ面の傾きを検出する（ステップＳ３０２）。制御部６は、記憶部５に格納されている傾きに関連する閾値（所定の閾値）を読み出し、ステップＳ３０２で検出された傾きが、この閾値（所定の閾値）以上であるか否かを判定する（ステップＳ３０３）。ステップＳ３０３において、傾きが閾値（所定の閾値）以上であると判定した場合（ＹＥＳの場合）、制御部６は、表示部４にページめくり画像を表示する（ステップＳ３０４）。
【００４６】
荷重検出部２は、ユーザの指による押圧荷重を検出する（ステップＳ３０５）。タッチセンサ１は、ユーザのめくり指による入力（第２の入力）の位置を検出する。制御部６は、検出された位置が、ページめくり画像を表示した位置であるか否かを判定した上で、この検出された位置に基づいて、単位時間当たりの移動量を移動として算出する（ステップＳ３０６）。制御部６は、ステップＳ３０５で検出された押圧荷重およびステップＳ３０６で算出された移動が、所定の条件を満足しているか否かを判定する（ステップＳ３０７）。
【００４７】
ステップＳ３０７において、押圧荷重および移動の両方が所定の条件を満足していると判定した場合（ＹＥＳの場合）、制御部６は、表示部４の表示を書き換えてページをめくり（ステップＳ３０８）、処理をステップＳ３０２に戻す。ステップＳ３０７において、押圧荷重および移動の少なくとも一方が所定の条件を満たしていないと判定した場合（ＮＯの場合）、制御部６は、処理をステップＳ３１０に進める。ステップＳ３０３において、傾きが閾値（所定の閾値）未満であると判定した場合（ＮＯの場合）、制御部６は、処理をステップＳ３０９に進める。制御部６は、表示部４に表示されたページめくり画像が表示されている場合は、その画像を非表示にし（ステップＳ３０９）、処理をステップＳ３１０に進める。制御部６は、図５に示したしおり動作処理を行う（ステップＳ３１０）。
【００４８】
なお、この実施の形態において、移動とは、単位時間当たりのめくり指の移動量であるとして説明したが、第２実施の形態のように、所定位置からのめくり指の移動距離とすることもできる。また、ステップＳ３０５とステップＳ３０６は、図示例の順番に限定されることはなく、逆順とすることもできる。
【００４９】
このように、本実施の形態によれば、ページめくり画像を表示部４に表示させることにより、ページめくりに対してユーザの注意を促すので、さらに、誤動作を防止することができる。
【００５０】
（第４実施の形態）
本発明の第４実施の形態では、ページめくりに際してユーザに触感を呈示する。図１２は、本発明の第４実施の形態に係る表示装置の機能ブロック図である。この表示装置は、図１の構成に加えて触感呈示部７を有する。触感呈示部７は、タッチセンサ１のタッチ面を振動させるように制御部６によって制御され、ユーザの指等のタッチ対象に触感を呈示する。触感呈示部７は、例えば、小型の偏心モータや圧電素子を用いて構成される。なお、荷重検出部２および触感呈示部７を圧電素子を用いて構成する場合は、圧電素子を共用して荷重検出部および触感呈示部を構成することもできる。記憶部５は、触感呈示部７の駆動信号情報を記憶している。
【００５１】
第４実施の形態に係る表示装置によるページめくり動作について、図１３に示すフローチャートを参照して説明する。ユーザが、タッチセンサ１の端部をしおり指で押さえると、制御部６は、図４に示したしおりページ記憶処理を行う（ステップＳ４０１）。傾き検出部３は、タッチセンサ１のタッチ面の傾きを検出する（ステップＳ４０２）。荷重検出部２は、ユーザの指による押圧荷重を検出する（ステップＳ４０３）。タッチセンサ１は、ユーザのめくり指による入力（第２の入力）の位置を検出する。制御部６は、検出された位置に基づき、単位時間当たりのめくり指の移動量を移動として算出する（ステップＳ４０４）。
【００５２】
制御部６は、ステップＳ４０２からステップＳ４０４で検出された傾き、押圧荷重および移動が、それぞれ、所定の条件を満足しているか否かを判定する（ステップＳ４０５）。すなわち、制御部６は、各データが、記憶部５に格納されている傾き、押圧荷重および移動に関連する閾値以上であるか否かを判定する。ステップＳ４０５において、傾き、押圧荷重および移動の全てが所定の条件を満足している場合（ＹＥＳの場合）、制御部６は、表示部４の表示を書き換えてページをめくる（ステップＳ４０６）。制御部６は、記憶部５を参照し、触感を呈示する駆動信号の情報を取得して、この駆動信号により触感呈示部７を駆動する。そして、触感呈示部７はタッチ面を振動させて、ユーザに触感を呈示し（ステップＳ４０７）、制御部６は、処理をステップＳ４０２に戻す。ステップＳ４０５において、傾き、押圧荷重および移動の少なくとも１つが所定の条件を満足していない場合（ＮＯの場合）、制御部６は、処理をステップＳ４０８に進める。制御部６は、図５に示したしおり動作処理を行う（ステップＳ４０８）。
【００５３】
なお、この実施の形態において、移動とは、単位時間当たりの指の移動量であるとして説明したが、第２実施の形態のように、所定位置からの指の移動距離とすることもできる。ステップＳ４０２からステップＳ４０４は、図示例の順番に限定されることはなく、任意の順番とすることができる。また、ステップＳ４０６とステップＳ４０７は、図示例の順番に限定されることはなく、逆順とすることもできる。
【００５４】
このように、本実施の形態によれば、ページめくりに際してユーザに触感を呈示するので、実際にページをめくる動作に近い感覚でページをめくる操作をすることができる。
【００５５】
上述の実施形態は、代表的な例として説明したが、本発明の趣旨及び範囲内で、多くの変更及び置換ができることは当業者に明らかである。例えば、荷重検出部２は、押圧荷重を検出するための圧電素子等をタッチセンサ１の端部に複数設置することにより、タッチパネルが複数の位置を同時に押圧されたとしても、複数設置されたそれぞれの圧電素子等の出力から、同時に押圧されたそれぞれの位置及び押圧荷重を検出するように構成してもよい。荷重検出部２をこのように構成することにより、ユーザのめくり指ｍによる押圧荷重およびしおり指ｓによる押圧荷重を独立に検出してもよい。この場合、荷重検出部２が検出するしおり指ｓによる押圧荷重がページ情報を記憶するための閾値以上の場合、表示部に表示されていたページの情報を、第１のページの情報として記憶してもよい。また、荷重検出部２が検出するめくり指ｍによる押圧荷重が所定の閾値以上の場合、情報のページをめくるように表示部の表示を書き換えてもよい。
【符号の説明】
【００５６】
１      タッチセンサ
２      荷重検出部
３      傾き検出部
４      表示部
５      記憶部
６      制御部
７      触感呈示部
ｍ      めくり指
ｓ      しおり指
【図１】
0005490647.tif 000002
【図２−１】
0005490647.tif 000003
【図２−２】
0005490647.tif 000004
【図３】
0005490647.tif 000005
【図４】
0005490647.tif 000006
【図５】
0005490647.tif 000007
【図６】
0005490647.tif 000008
【図７】
0005490647.tif 000009
【図８】
0005490647.tif 000010
【図９】
0005490647.tif 000011
【図１０−１】
0005490647.tif 000012
【図１０−２】
0005490647.tif 000013
【図１１】
0005490647.tif 000014
【図１２】
0005490647.tif 000015
【図１３】
0005490647.tif 000016